(57)【特許請求の範囲】
【請求項１】
互いに結合された上ハーフと下ハーフとからなるカートリッジケース内に、磁気テープを巻装した単一のリールが回転可能に収容され、前記磁気テープの先端部に固着されたテープ引出し用リーダーピンが、前記上下ハーフにそれぞれ形成された凹部内において、軸方向を上下方向として、かつ該リーダーピンの両端部に対して側方から加えられるバネ部材の付勢力により係止される態様で、前記カートリッジケースのテープ引出し用開口部内に着脱可能に保持されてなる磁気テープカートリッジにおいて、
前記上ハーフが備えている前記凹部の前記バネ部材の付勢方向に対向する側壁の少なくとも一部に、斜め下方に面する傾斜面を設けたことを特徴とする磁気テープカートリッジ。
【請求項２】
前記上ハーフが備えている前記凹部に対し前記リーダーピンを挿入するための導入部の側壁に傾斜面をさらに設けたことを特徴とする請求項１記載の磁気テープカートリッジ。
【請求項３】
互いに結合された上ハーフと下ハーフとからなるカートリッジケース内に、磁気テープを巻装した単一のリールが回転可能に収容され、前記磁気テープの先端部に固着されたテープ引出し用リーダーピンが、前記上下ハーフにそれぞれ形成された凹部内において軸方向を上下方向として係止される態様で、前記カートリッジケースのテープ引出し用開口部内に着脱可能に保持されてなる磁気テープカートリッジにおいて、
前記凹部に前記リーダーピンを挿入するための導入部における前記上ハーフの頂壁部下面に、前記リーダーピンの挿入方向に傾斜するガイド面を、前記テープ引出し用開口部の開口端から前記凹部の深奥部まで延設したことを特徴とする磁気テープカートリッジ。
【請求項４】
互いに結合された上ハーフと下ハーフとからなるカートリッジケース内に、磁気テープを巻装した単一のリールが回転可能に収容され、両端にダンベル部を備えて前記磁気テープの先端部に固着されたテープ引出し用リーダーピンが、前記上下ハーフにそれぞれ形成された凹部内において、軸方向を上下方向として、かつ前記ダンベル部に対して側方から加えられるバネ部材の付勢力により、前記カートリッジケースのテープ引出し用開口部内に着脱可能に保持されてなる磁気テープカートリッジにおいて、
前記リーダーピンのダンベル部に対して加えられるバネ部材の付勢力が、前記リーダーピンを下方へ付勢する分力成分を備えていることを特徴とする磁気テープカートリッジ。
【請求項５】
前記リーダーピンのダンベル部に、斜め上方に面する傾斜面を設け、該傾斜面に係合する前記バネ部材の付勢力が該リーダーピンを下方へ付勢する分力成分を備えていることを特徴とする請求項４記載の磁気テープカートリッジ。
【請求項６】
互いに結合された上ハーフと下ハーフとからなるカートリッジケース内に、磁気テープを巻装した単一のリールが回転可能に収容され、両端にダンベル部を備えて前記磁気テープの先端部に固着されたテープ引出し用リーダーピンが、軸方向を上下方向として、かつ前記ダンベル部に対して側方から加えられるバネ部材の付勢力により係止される態様で、前記カートリッジケースのテープ引出し用開口部内に着脱可能に保持されてなる磁気テープカートリッジにおいて、
前記リーダーピンのダンベル部に凹部または切欠きを設け、前記バネ部材に、前記凹部または切欠きに係合する形状の係合部を設けたことを特徴とする磁気テープカートリッジ。
【請求項７】
互いに結合された上ハーフと下ハーフとからなるカートリッジケース内に、磁気テープを巻装した単一のリールが回転可能に収容され、両端にダンベル部を備えて前記磁気テープの先端部に固着されたテープ引出し用リーダーピンが、軸方向を上下方向として、かつ前記ダンベル部に対して側方から加えられるバネ部材の付勢力により係止される態様で、前記カートリッジケースのテープ引出し用開口部内に着脱可能に保持されてなる磁気テープカートリッジにおいて、
前記リーダーピンの少なくとも下方ダンベル部が磁性体で形成され、かつ前記カートリッジケースの下ハーフにおける前記下方ダンベル部が接触する部位に永久磁石が埋設されていることを特徴とする磁気テープカートリッジ。
【請求項８】
互いに結合された上ハーフと下ハーフとからなるカートリッジケース内に、磁気テープを巻装した単一のリールが回転可能に収容され、両端にダンベル部を備えて前記磁気テープの先端部に固着されたテープ引出し用リーダーピンが、軸方向を上下方向として、かつ前記ダンベル部に対して側方から加えられるバネ部材の付勢力により係止される態様で、前記カートリッジケースのテープ引出し用開口部内に着脱可能に保持されてなる磁気テープカートリッジにおいて、
前記カートリッジケースの上ハーフにおける前記ダンベル部が対向する部位に、該リーダーピンを下方へ押圧するボールプランジャが埋設されていることを特徴とする磁気テープカートリッジ。
【請求項９】
互いに結合された上ハーフと下ハーフとからなるカートリッジケース内に、磁気テープを巻装した単一のリールが回転可能に収容され、前記磁気テープの先端部に固着されたテープ引出し用リーダーピンが、軸方向を上下方向として、かつ該リーダーピンの両端部を側方へ付勢する第１の付勢手段により係止される態様で、前記カートリッジケースのテープ引出し用開口部内に着脱可能に保持されてなる磁気テープカートリッジにおいて、
前記カートリッジケースの上ハーフに、前記リーダーピンを下方へ付勢する第２の付勢手段を設け、かつ前記リーダーピンに対する前記第１および第２の付勢手段の付勢力の最大荷重点を、前記リーダーピンの挿入方向に互いに偏位させたことを特徴とする磁気テープカートリッジ。
【請求項１０】
互いに結合された上ハーフと下ハーフとからなるカートリッジケース内に、磁気テープを巻装した単一のリールが回転可能に収容され、両端にダンベル部を備えて前記磁気テープの先端部に固着されたテープ引出し用リーダーピンが、軸方向を上下方向として、かつ前記ダンベル部に対して側方から加えられるバネ部材の付勢力により係止される態様で、前記カートリッジケースのテープ引出し用開口部内に着脱可能に保持され、テープ引出し用開口部を開閉するスライドドアが設けられてなる磁気テープカートリッジにおいて、
前記スライドドアの裏面下部に、該スライドドアの閉動作に伴って前記リーダーピンの下方ダンベル部の上面に係合して該リーダーピンを下方へ押圧する傾斜面を備えたリブが突設されていることを特徴とする磁気テープカートリッジ。
【発明の詳細な説明】
【０００１】
【発明の属する技術分野】
本発明は、磁気テープを巻装した単一のリールがカートリッジケース内に回転可能に収容された磁気テープカートリッジに関し、特に、磁気テープを引き出すために磁気テープの先端部に固着されたリーダーピンがカートリッジケース内に着脱可能に保持される磁気テープカートリッジにおける上記リーダーピンの位置決め構造に関するものである。
【０００２】
【従来の技術】
従来、コンピュータメモリのバックアップ用の記録媒体として使用されている磁気テープカートリッジには、単一のリールに磁気テープを巻装し、このリールを、互いに結合された四角形の上ハーフと下ハーフとからなる偏平なカートリッジケース内に回転可能に収容したタイプのものが知られている。
【０００３】
この磁気テープは、重要な情報が記憶されているため、テープジャミング等のトラブルが発生しないように、また不用意に磁気テープが引き出されないようになっている。
【０００４】
また、上記磁気テープの先端部にはリーダ部材（例えばリーダーピン）が固着され、この磁気テープカートリッジが記録再生装置に装着されたとき、磁気テープがリーダ部材を介して引き出され、磁気テープへのデータの読み書きが可能になるように構成されている。そして、上記リーダ部材は、カートリッジケースに着脱可能に保持されるものであり、その保持にはバネ部材を使用するのが構造上の簡素化等の点で有利である。
【０００５】
【発明が解決しようとする課題】
ところで、上記リーダ部材としてリーダーピンが用いられる場合、このリーダーピンは一般に、磁気テープの先端部が固着される中央軸部と、この中央軸部の上下端に形成された細軸部と、細軸部の外側に形成された、上記中央軸部とほぼ同径のダンベル部（ヘッド部）とから構成され、上記細軸部は、磁気テープカートリッジが記録再生装置に装着されたときに、装置側のテープ引出し機構と係合する係合部を構成している。また、リーダーピンの両端に形成されたダンベル部は、カートリッジケースのテープ引出し用開口部の内側において上ハーフおよび下ハーフにそれぞれ形成されたリーダーピン収容凹部に対す係合部となっており、かつ上記ダンベル部の外周面に、板バネ等からなるバネ部材が側方から弾性的に当接して、リーダーピンをその軸方向を上下方向として上記凹部内に着脱可能に保持するようになっている。
【０００６】
一方、記録再生装置のテープ引出し機構は、磁気テープカートリッジの下面、すなわちカートリッジケースの下ハーフの底面を基準として規定の位置にリーダーピンの下端が保持・位置決めされていることを前提に構成されている。したがって、カートリッジケース内に収納されたリーダーピンは常に軸方向下方に位置決めされている必要がある。
【０００７】
しかしながら、カートリッジケース内のリーダーピン収納部の上下方向のクリアランスをゼロにすることは、カートリッジケースの加工精度、組立て精度上不可能であり、また、記録再生装置側の精度からも極めて困難である。したがって、カートリッジケース内に格納されたリーダーピンの上下方向にはクリアランスが存在するから、格納時の位置ずれや、磁気テープカートリッジの輸送あるいは取扱い時の落下衝撃または振動等によってリーダーピンの位置が変化してしまうことになる。
【０００８】
これらの問題を解決するために、本発明は、カートリッジケース内に格納されたリーダーピンを下方に位置規制することができるされるようなリーダーピンの位置決め構造を提供することを目的とする。
【０００９】
【課題を解決するための手段】
本願第１番目の発明（請求項１）は、カートリッジケースの上ハーフが備えている凹部のバネ部材の付勢方向に対向する側壁の少なくとも一部に、斜め下方に面する傾斜面を設けたことを特徴とするものである。
【００１０】
上記傾斜面は曲面をなしていてもよい。また、上ハーフが備えている凹部に対しリーダーピンを挿入するための導入部の側壁に傾斜面をさらに設けてもよい。
【００１１】
本願第２番目の発明（請求項３）は、上ハーフが備えている凹部にリーダーピンを挿入するための導入部における上ハーフの頂壁部の下面に、リーダーピンの挿入方向に傾斜するガイド面を、テープ引出し用開口部の開口端から上記凹部の深奥部まで延設したことを特徴とするものである。
【００１２】
本願第３番目の発明（請求項４）は、リーダーピンのダンベル部に対して加えられるバネ部材の付勢力が、リーダーピンを下方へ付勢する分力成分を備えていることを特徴とするものである。
【００１３】
その場合、リーダーピンのダンベル部に、斜め上方に面する傾斜面を設け、この該傾斜面に係合するバネ部材の付勢力がリーダーピンを下方へ付勢する分力成分を備えているようにしてもよい。
【００１４】
本願第４番目の発明（請求項６）は、リーダーピンのダンベル部に凹部または切欠きを設け、かつバネ部材に、上記凹部または切欠きに係合する形状の係合部を設けたことを特徴とするものである。
【００１５】
本願第５番目の発明（請求項７）は、リーダーピンの少なくとも下方ダンベル部が磁性体で形成され、かつカートリッジケースの下ハーフにおける上記下方ダンベル部が接触する部位に永久磁石が埋設されていることを特徴とするものである。
【００１６】
本願第６番目の発明（請求項８）は、カートリッジケースの上ハーフにおけるリーダーピンの上方ダンベル部が対向する部位に、リーダーピンを下方へ押圧するボールプランジャが埋設されていることを特徴とするものである。
【００１７】
本願第７番目の発明（請求項９）は、カートリッジケースの上ハーフに、リーダーピンを下方へ付勢する第２の付勢手段を設け、かつリーダーピンに対する第１および第２の付勢手段の付勢力の最大荷重点を、リーダーピンの挿入方向に互いに偏位させたことを特徴とするものである。
【００１８】
本願第８番目の発明（請求項１０）は、スライドドアの裏面に、このスライドドアの閉動作に伴ってリーダーピンのダンベル部の上面に係合してリーダーピンを下方へ押圧する傾斜面を備えたリブが突設されていることを特徴とするものである。
【００１９】
【発明の効果】
本願第１番目の発明によれば、カートリッジケースの上ハーフが備えている凹部のバネ部材の付勢方向に対向する側壁の少なくとも一部に斜め下方に面する傾斜面を設けたことにより、リーダーピンは常にバネ部材の付勢力によって下方に位置規制され、これにより磁気テープカートリッジの落下衝撃または輸送中の振動等によるリーダーピンの上方への浮き上がりが防止され、リーダーピンと、装置側のテープ引出し機構との高さ方向の位置整合を保つことができる。
【００２０】
また、上記傾斜面に加えて、上ハーフが備えている凹部に対しリーダーピンを挿入するための導入部の側壁にも傾斜面を設けたことにより、記録再生装置側の部材によってリーダーピンが上記凹部へ挿入されるときの挿入力の反力を利用してリーダーピンを下方に位置規制することができる。
【００２１】
本願第２番目の発明によれば、凹部にリーダーピンを挿入するための導入部における上ハーフの上面内壁に、リーダーピンの挿入方向に傾斜するガイド面を設けたことにより、記録再生装置側の部材によってリーダーピンが上記凹部へ挿入されるときに、リーダーピンを下方に位置規制することができ、特にこのガイド面を、テープ引出し用開口部の開口端から上記凹部の深奥部まで延設したことにより、上下ハーフの製作精度が多少低くてもそれを吸収することができる。
【００２２】
本願第３番目の発明によれば、リーダーピンの端部に対して側方から加えられるバネ部材の付勢力の下方への分力成分によって、リーダーピンを下方に位置規制することができる。
【００２３】
本願第４番目の発明によれば、リーダーピンのダンベル部に凹部または切欠きを設け、かつバネ部材に、上記凹部または切欠きに係合する形状の係合部を設けたことにより、バネ部材によってリーダーピンを下方位置に保持することができる。
【００２４】
本願第５番目の発明によれば、永久磁石の吸引力によってリーダーピンを下方位置に保持することができる。
【００２５】
本願第６番目の発明によれば、ボールプランジャの付勢力によってリーダーピンを下方に位置規制することができる。
【００２６】
本願第７番目の発明によれば、リーダーピンを下方へ付勢する第２の付勢手段によってリーダーピンを下方に位置規制することができるとともに、第１の付勢手段による側方からの付勢力の最大荷重点と、第２の付勢手段による下方への付勢力の最大荷重点とをリーダーピンの挿入方向に互いに偏位させたことにより、側方からの付勢力の上下バランスが崩れてリーダーピンが斜めに挿入、保持されるのを防止することができる。
【００２７】
本願第８番目の発明によれば、スライドドアに突設されたリブの下面側の傾斜面がスライドドアの閉動作に伴ってリーダーピンの下方ダンベル部の上面を押圧することにより、リーダーピンを下方に位置規制することができる。
【００２８】
【発明の実施の形態】
以下、図面を参照して本発明の実施の形態について詳細に説明する。
【００２９】
図１は、本発明の一実施の形態による磁気テープカートリッジの構成を示す分解斜視図である。図１に示すように、磁気テープカートリッジ１は、四角形の平面形状を有する下ハーフ３と、この下ハーフ３と相似の平面形を有して下ハーフ３上に重ね合わされる上ハーフ２とが互いにビス等の結合手段により締結されて構成された偏平な硬質プラスチック製のカートリッジケース７を備え、このカートリッジケース７内に、磁気テープ２０を巻装した単一のリール４が回転可能に収容されている。
【００３０】
リール４は、下リール５と上リール６とが溶着等により接合された構成を有し、下リール５は、外周に磁気テープ２０が巻回される円筒状のリールハブ２３と、このリールハブ２３の下端外周から径方向に張り出したフランジ部２４とをプラスチック材料により一体成型したものである。リールハブ２３の底部外面には、リール４を回転駆動するマグネット式の回転駆動手段を吸引保持させるためのリールプレート８が取り付けられており、リールハブ２３の底部内面には、ブレーキボタン９に形成された制止用ギア９Ａと係合して不使用時の回転を拘束する制止用ギア２３Ａが刻設されている。また、リールハブ２３には開口２３Ｂが形成されており、ここに磁気テープカートリッジ１を使用する外部の記録再生装置に設けられたドライブ解除スピンドルが挿通され、ブレーキボタン９を上方へ移動させる。
【００３１】
ここで、ブレーキボタン９には、リールハブ２３と対向する側に上述した制止用ギア９Ａが形成されており、それとは反対側に、上ハ−フ２に形成されたブレーキガイド突起が嵌合される嵌合溝９Ｂが形成されている。そして、カートリッジ不使用時には、ブレーキボタン９はコイルバネ１０により図の下方に付勢された状態でリールハブ２３内部に装着されており、ブレーキボタン９とリールハブ２３との制止用ギア９Ａ，２３Ａが噛み合ってリール４の回転が防止されている。一方、カートリッジ使用時は、磁気テープ装置のドライブ解除スピンドルがブレーキボタン９を押圧すると、ブレーキボタン９がコイルバネ１０の付勢力に抗して図中上方へ移動し、これにより制止用ギア９Ａ，２３Ａの係合が解除され、リール４が回転自在とされる。
【００３２】
カートリッジケース７の一側壁には、磁気テープ２０を引き出すための開口部２６が形成されている。こお開口部２６には、カートリッジケース７の側壁に平行な矢印Ａ方向に移動可能なスライドドア２７が取り付けられている。スライドドア２７は不図示のバネにより、開口部２６を閉じる方向に付勢されている。
【００３３】
また、磁気テープカートリッジ１の不使用時には、磁気テープ２０は完全にリール４に巻き込まれており、磁気テープ２０の端部に取り付けられたリーダーピン２１が開口部２６の近傍に形成された凹部２８に係止される。
【００３４】
そして、磁気テープカートリッジ１が対応する外部の記録再生装置にセットされると、上述したようにブレーキボタン９とリールハブ２３との制止用ギア９Ａ，２３Ａの係止が解除されてリール４が回転自在とされるとともに、マグネット式の回転駆動手段がリールプレート８を吸引した状態でリール４を回転駆動する。これとともに、スライドドア２７が開かれてリーダーピン２１がテープ走行路の所定位置に引き込まれ、磁気テープ２０へのデータの読み書きが可能となる。
【００３５】
上記リーダーピン２１は、磁気テープカートリッジ１を使用する記録再生装置が磁気テープ２０を装置内のテープ走行路に導入するために保持して引き込むものであり、このリーダーピン２１をその軸方向を上下方向として上記凹部２８に着脱可能に保持する後述のバネ部材３０が設置されている。
【００３６】
図２は、下ハーフ３におけるリーダーピン２１の保持構造を示す要部平面図である。また図３は図２の III−III 線に沿った断面図、図４はバネ部材３０の斜視図、図５は図２におけるバネ部材の付勢方向に沿った上ハーフの要部の拡大断面図である。
【００３７】
図３に示すように、リーダーピン２１は、磁気テープ２０の先端部がクランプされる中央軸部２１ａの両側に、記録再生装置側から係合保持される細軸部２１ｂ，２１ｂが形成され、その外側にダンベル部（ヘッド部）２１ｃ，２１ｃが形成されている。上記中央軸部２１ａは、芯軸と、この芯軸の外周面に側方から嵌着されて芯軸との間に磁気テープの先端部を挟み込むＣ字状の断面形状を有するクランプ部材（Ｃクリップ）とからなる。上下のダンベル部２１ｃ，２１ｃは、開口部２６近傍の上ハーフ２の頂壁２ａの下面および下ハーフ３の底壁３ａの上面にそれぞれ形成された凹部２８にそれぞれ挿入されるとともに、上下ハーフ２，３間に挟持された図４に示すような板バネからなるバネ部材３０によって両ダンベル部２１ｃ，２１ｃが各凹部の奥の壁部２８ａにそれぞれ押接された態様で、リーダーピン２１がカートリッジケース７のテープ引出し用開口部２６内に着脱可能に保持される。上記壁部２８ａは、平面図において、リーダーピン２１のダンベル部２１ｃの曲率に倣った曲率を有するパーキング部を形成している。
【００３８】
バネ部材３０は、図４に示すように、上下方向に延びる半円筒状の連結基部３０ａと、この連結基部３０ａの上下端部の一側から水平方向に延びる互いに平行な一対のアーム部３０ｂ，３０ｂと、連結基部３０ａの他側に連結された平板状の裏面板３０ｃとによって上下対称的に一体に構成され、図２に示すようにヘアピン状の平面形状を有する。上下のアーム部３０ｂ，３０ｂの先端にはそれぞれ保持部３０ｄが設けられ、上下のアーム部３０ｂ，３０ｂ間は切り欠かれて、保持部３０ｄ，３０ｄのみがリーダーピン２１のダンベル部２１ｃ，２１ｃの外周面に側方から当接するようになっている。上記保持部３０ｄは山形に突出して、両側の斜面がリーダーピン２１のダンベル部２１ｃの外周面に当接することによりアーム部３０ｂが撓み変形し、ダンベル部２１ｃを凹部２８に壁部２８ａに弾圧係止するようになっている。
【００３９】
そして、アーム部３０ｂ，３０ｂが撓み変形する際にカートリッジケース７の壁面に摺接しないように、アーム部３０ｂ，３０ｂのエッジが切り欠かれ、連結基部３０ａのエッジとの間に段差３０ｆが形成されている。そして、バネ部材３０の連結基部３０ａの上下端部と、裏面板３０ｃの上下端部とによって、このバネ部材３０をカートリッジケース７に固定する固定部が構成されている。
【００４０】
一方、カートリッジケース７の上下ハーフ２，３におけるバネ部材３０の取付け部には、下ハーフ３におけるバネ部材３０の取付け部を示す図２から明らかなように、下ハーフ３の底壁３ａの上壁面上に２個の円柱状ボス３５，３６が下ハーフ３の側壁３ｂの内壁面に沿って互いに所定の間隔をおいて突設されており、ボス３５，３６と下ハーフ３の側壁３ｂの内壁面との間には、バネ部材３０の連結基部３０ａおよび裏面板３０ｃの下端部が嵌着される狭いギャップが設けられ、さらに、ボス３５のボス３６側とは反対側に、連結基部３０ａの下端部が嵌着される狭いギャップが形成されている。
【００４１】
バネ部材３０は、その連結基部３０ａの下端部が、ボス３５と下ハーフ３の側壁３ｂの内壁面との間のギャップ内、およびボス３５のボス３６側とは反対側に形成されたギャップ３７内にボス３５を繞って嵌着され、かつ裏面板３０ｃの先端下端部が、ボス３６と下ハーフ３の側壁３ｂの内壁面との間のギャップ内に嵌着された態様で、下ハーフ３に取り付けられる。
【００４２】
そして、バネ部材３０の下側アーム部３０ｂの下端エッジに、連結基部３０ａの下端エッジに対して段差３０ｆが形成されていることによって、下側アーム部３０ｂの下端エッジと下ハーフ３の底壁３ａの上壁面との間にギャップが形成され、下側アーム部３０ｂが撓み変形しても、下ハーフ３の底壁３ａの上壁面に摺接するおそれがなくなり、下側アーム部３０ｂの動作が安定し、かつ下ハーフ３の底壁上面が下側アーム部３０ｂ撓み変形によって削られることも防止することができる。
【００４３】
なお、図示ならびに説明は省略するが、上ハーフ３におけるバネ部材３０の取付け部も、図３に示すように、下ハーフ３におけるバネ部材３０の取付け部と対称的な構成を有し、上側アーム部３０ｂが撓み変形しても、上ハーフ３の頂壁２ａの下壁面に接触するおそれがなくなり、上側アーム部３０ｂの動作が安定し、かつ上ハーフ２の頂壁の下壁面が上側アーム部３０ｂの撓み変形によって削られることも防止することができる。
【００４４】
上記の構成において、バネ部材３０のカートリッジケース７への取付けは、上下ハーフ２，３の締結に伴って行なうことができる。
【００４５】
リーダーピン２１の上方ダンベル部２１ｃは、図５に示すように、バネ部材３０の上側アーム部３０ｂの先端に形成された保持部３０ｄが側方から弾性的に当接していることによって、上ハーフ２の凹部２８の壁部２８ａに押し付けられているが、この壁部２８ａのバネ部材３０の付勢方向と対向する側壁の上部に、斜め下方に面する傾斜面３２が形成されている。そして、リーダーピン２１の下方ダンベル部２１ｃの下端面が下ハーフ２の底壁２ａに形成された凹部２８の上面に接していることによって、リーダーピン２１の上方ダンベル部２１ｃの上端面と、凹部２８の下面との間にはギャップ３１が形成されている。
【００４６】
したがって、磁気テープカートリッジ１の落下衝撃または輸送中の振動によって、あるいはテープ引出し用開口部２６に対するリーダーピン２１の格納時の位置ずれによって、リーダーピン２１が上方へ浮き上がり、上方ダンベル部２１ｃのエッジが上記斜面３２に当接すると、上方ダンベル部２１ｃがバネ部材３０によって、矢印Ｂで示すように図５の左方（図２の右下方）へ付勢されているため、リーダーピン２１にはこれを下方に位置規制する力が作用して、リーダーピン２１は、その下方ダンベル部２１ｃの下端面が下ハーフ２の底壁２ａの凹部２８上面に接する状態に復帰して、リーダーピン２１の細軸部２１ｂ，２１ｂと、装置側のテープ引出し機構との高さ方向の位置整合が保たれる。
【００４７】
図６は、上記傾斜面３２が図５に示された斜面３２よりも下方側へ延びている場合を示しており、リーダーピン２１の上方ダンベル部２１ｃがバネ部材３０によって上記傾斜面３２に弾接されていることによって、リーダーピン２１に対しこれを下方に位置規制する力が常時作用していることになる。したがって磁気テープカートリッジ１の落下衝撃等によってリーダーピンが上方へ浮き上がるのが防止される。
【００４８】
上記傾斜面３２の角度αについては、当然であるが幾何学的に角度αが浅い程左右の位置決め精度は低下するが、下方への付勢力は増大し、角度αが深いと左右の位置決め精度が増大するが、下方への付勢力は減少し、角度αは４５°で変曲点となる。
【００４９】
なお、上記傾斜面３２は、図７に示すように、その断面形状が円弧の一部をなす曲面であってもよい。また上記凹部２８の傾斜面３２は、バネ部材３０の付勢方向と対向する側壁のみでなく、図８に示すように、上ハーフ２のリーダーピン２１の導入部の側壁面２８ｂ，２８ｂに形成してもよい。このようにリーダーピン２１の導入部の側壁面２８ｂ，２８ｂにも傾斜面を設けると、記録再生装置側の部材によってリーダーピンが凹部２８へ挿入されるときの挿入力の反力を利用してリーダーピン２１を下方に位置規制することができるから、リーダーピン２１の下方への位置規制がさらに確実になる。
【００５０】
以上の実施の形態においては、上ハーフ２内面の頂壁部２ａの凹部２８におけるバネ部材３０の付勢方向と対向する側壁に傾斜面３２を設け、この傾斜面３２とバネ部材３０との共働によって、リーダーピン２１を下方に位置規制する構成を有するが、次の図９〜図１１に示す実施の形態では、カートリッジケース７の上ハーフ２の凹部２８にリーダーピン２１を挿入するための導入部における頂壁部２ａの下面に、リーダーピン２１の挿入方向に傾斜するガイド面３８Ａ〜３８Ｃを形成して、装置側のテープ引き出し機構によって細軸部２１ｂ，２１ｂを把持されたリーダーピン２１がカートリッジケース７の凹部２８，２８内へ格納されるとき、上記ガイド面によって案内されて、所定位置に確実に格納されるようにしたものである。
【００５１】
すなわち、図９においては、ガイド面３８Ａがテープ引出し用開口部２６の開口端から凹部２８の深奥部まで延設されており、この場合は、上下ハーフ２，３の製作精度が多少低くてもそれを吸収することができる。また、図１０においては、ガイド面３８Ｂがテープ引出し用開口部２６の開口端から上方ダンベル部２１ｃの中心付近まで形成されており、リーダーピン２１の導入と保持とのバランスが良い。さらに、図１１においては、ガイド面３８Ｃがテープ引出し用開口部２６の開口端から上方ダンベル部２１ｃに至るまで形成されており、リーダーピン２１の保持が確実である。
【００５２】
図１２に示す実施の形態においては、バネ部材３０の上側アーム部３０ｂの保持部３０ｄが、リーダーピン２１の上方ダンベル部２１ｃを斜め下方へ向かって付勢している。この斜め下方へ向かう力Ｂは、水平分力と垂直分力とを含むから、水平分力が上方ダンベル部２１ｃを側方へ付勢するとともに、垂直分力が上方ダンベル部２１ｃを下方へも付勢する。したがって、リーダーピン２１は下方へ位置規制され、磁気テープカートリッジ１の落下衝撃等によってリーダーピン２１が上方へ浮き上がるのが防止される。
【００５３】
次の図１３に示す実施の形態においては、リーダーピン２１の下方ダンベル部２１ｃの外周面の上部に斜め上方に面する傾斜面２１ｄが形成されている。そして、バネ部材３０の下側アーム部３０ｂの保持部３０ｄが上記傾斜面２１ｄに密接して、下方ダンベル部２１ｃ斜め下方へ向かって付勢し、これによって、図１２の場合と同様に、リーダーピン２１を下方へ付勢する分力を発生させてている。したがって、リーダーピン２１は下方へ位置規制され、磁気テープカートリッジ１の落下衝撃等によってリーダーピン２１が上方へ浮き上がるのを防止することができる。
【００５４】
図１４（ａ）〜（ｃ）に示す実施の形態においては、リーダーピン２１の下方ダンベル部２１ｃの外周面に，凹溝２１ｅを形成するとともに、この下方ダンベル部２１ｃに側方から弾接するバネ部材３０の下側アーム部３０ｂの保持部３０ｄに、上記凹溝２１ｅに係合する係合部３０ｅが形成されている。この構成によっても、リーダーピン２１を下方位置に保持することができ、これによって、リーダーピン２１が上方へ浮き上るのを防止することができる。
【００５５】
また、図１４（ｄ）に示す構成においては、リーダーピン２１の下方ダンベル部２１ｃの外周面の上部を切り欠いて段差部２１ｆを形成するとともに、この下方ダンベル部２１ｃに側方から弾接するバネ部材３０の下側アーム部３０ｂの保持部３０ｄに、上記段差部２１ｆに係合する係合部３０ｅが形成して、リーダーピン２１を側方のみでなく、下方へも付勢するようになっている。上記係合部３０ｅの下面は、リーダーピン２１の挿入方向に傾斜しており、リーダーピン２１が凹部２８に挿入されるしたがって、下方への付勢力が増大するように構成されている。
【００５６】
また、図１５に示す実施の形態では、リーダーピン２１の少なくとも下方ダンベル部２１ｃが磁性体で形成されているとともに、カートリッジケース７の下ハーフ３の底壁部３ａにおけるリーダーピン２１の下方ダンベル部２１ｃの下端面が接触する部位に、永久磁石４０が埋設された構成を有する。本実施の形態によっても、リーダーピン２１は永久磁石４０の吸引力で下方へ位置規制され、磁気テープカートリッジの１の落下衝撃等によってリーダーピン２１が上方へ浮き上がるのを防止することができること明らかである。
【００５７】
このリーダーピン２１の下方への位置規制は、図１６に示すように、カートリッジケース７の上ハーフ２の頂壁部２ａにおけるリーダーピン２１の上方ダンベル部２１ｃの上端面に対向する部位に、リーダーピン２１を下方へ付勢するボールプランジャ４１を取り付けることによっても達成できる。
【００５８】
また、図１７およびその XVIII−XVIII 線に沿った断面図である図１８に示すように、リーダーピン２１の上方ダンベル部２１ｃの上端面に弾接してリーダーピン２１を下方へ付勢する板バネからなる第２のバネ部材４２をカートリッジケース７の上ハーフ２の頂壁部２ａに設けてもよい。
【００５９】
なおこの場合、リーダーピン２１に対する第１のバネ部材３０による側方からの付勢力の上下バランスが崩れてリーダーピン２１が斜めに挿入、保持されることを防ぐために、リーダーピン２１を下方へ付勢する第２のバネ部材４２の上方ダンベル部２１ｃにおける付勢力の最大荷重点Ｐと、上方ダンベル部２１ｃを側方へ付勢する第１のバネ部材３０の上方ダンベル部２１ｃにおける付勢力の最大荷重点Ｑとが、リーダーピン２１の挿入方向に互いに偏位していることが好ましい。
【００６０】
さらに、図１９およびそのXX−XX線に沿った断面図である図２０に示す実施の形態においては、磁気テープ２０を引き出すための開口部２６を開閉するスライドドア２７の裏面に、図２１に示すように、リーダーピン２１の下方ダンベル部２１ｃの上面に係合して、リーダーピン２１を下方へ押圧するリブ４３が突設されている。
【００６１】
このリブ４３の下面は傾斜面４３ａとなっており、この傾斜面４３ａがスライドドア２７の閉動作に伴ってリーダーピン２１の下方ダンベル部２１ｃの上面を下方へ押圧して、リーダーピン２１を下方に位置規制するように構成されている。
【００６２】
なお、上述の説明においては、カートリッジケース７の上ハーフ２の凹部２８の下面とリーダーピン２１の上方ダンベル部２１ｃの上端面との間のギャップが図示されているが、本発明は、このようなギャップが存在しない態様も含まれる。
【図面の簡単な説明】
【図１】本発明の磁気テープカートリッジの分解斜視図
【図２】カートリッジケースの下ハーフにおけるリーダーピンの保持構造の一例を示す要部平面図
【図３】図２の III−III 線に沿った断面図
【図４】バネ部材の斜視図
【図５】本発明による磁気テープカートリッジのリーダーピンの位置決め構造の一実施の形態を示す、図２におけるバネ部材の付勢方向に沿った上ハーフの要部の拡大断面図
【図６】本発明によるリーダーピンの位置決め構造の他の実施の形態を示す、図５に対応する要部の拡大断面図
【図７】本発明によるリーダーピンの位置決め構造のさらに他の実施の形態を示す、図５に対応する要部の拡大断面図
【図８】本発明によるリーダーピンの位置決め構造のさらに他の実施の形態を示す、カートリッジケースの上ハーフの要部底面図
【図９】本発明によるリーダーピンの位置決め構造のさらに他の実施の形態におけるガイド面を示す要部拡大断面図
【図１０】本発明によるリーダーピンの位置決め構造のさらに他の実施の形態におけるガイド面を示す図９に対応する要部断面図
【図１１】本発明によるリーダーピンの位置決め構造のさらに他の実施の形態におけるガイド面を示す図９に対応する要部断面図
【図１２】本発明によるリーダーピンの位置決め構造のさらに他の実施の形態を示す、図５に対応する要部の拡大断面図
【図１３】本発明によるリーダーピンの位置決め構造のさらに他の実施の形態を示す要部の拡大図
【図１４】本発明によるリーダーピンの位置決め構造のさらに他の実施の形態を示す要部の拡大図
【図１５】本発明によるリーダーピンの位置決め構造のさらに他の実施の形態を示す要部の拡大図
【図１６】本発明によるリーダーピンの位置決め構造のさらに他の実施の形態を示す要部の拡大図
【図１７】本発明によるリーダーピンの位置決め構造のさらに他の実施の形態を示す、カートリッジケースの上ハーフの要部底面図
【図１８】図１７の XVIII−XVIII 線に沿った断面図
【図１９】本発明によるリーダーピンの位置決め構造のさらに他の実施の形態を示す要部の拡大断面平面図
【図２０】図１９のXX−XX線に沿った断面図
【図２１】図２０におけるスライドドアの正面図
【符号の説明】
１    磁気テープカートリッジ
２    上ケース
３    下ケース
４    リール
７    カートリッジケース
２０    磁気テープ
２１    リーダーピン
２１ｃ    ダンベル部
２６    開口部
２７    スライドドア
２８    凹部
３０，４２    バネ部材
３１    ギャップ
３２    傾斜面
３８Ａ〜３８Ｃ    ガイド面
４０    永久磁石
４１    ボールプランジャ
４３    リブ
【図１】
0003755633.tif 000002
【図２】
0003755633.tif 000003
【図３】
0003755633.tif 000004
【図４】
0003755633.tif 000005
【図５】
0003755633.tif 000006
【図６】
0003755633.tif 000007
【図７】
0003755633.tif 000008
【図８】
0003755633.tif 000009
【図９】
0003755633.tif 000010
【図１０】
0003755633.tif 000011
【図１１】
0003755633.tif 000012
【図１２】
0003755633.tif 000013
【図１３】
0003755633.tif 000014
【図１４】
0003755633.tif 000015
【図１５】
0003755633.tif 000016
【図１６】
0003755633.tif 000017
【図１７】
0003755633.tif 000018
【図１８】
0003755633.tif 000019
【図１９】
0003755633.tif 000020
【図２０】
0003755633.tif 000021
【図２１】
0003755633.tif 000022